(57)【要約】      （修正有）【課題】家庭用キッチンの排水から油分を取り除くための、キッチンの流し台において用いる除油製品を提供する。【解決手段】キッチンの流し台において用いる除油製品１０であって、複数の吸油粒子１３と、袋１１と、把手１２と、を備える。複数の吸油粒子１３は、排水に含まれる油類を吸着させる。袋１１は、複数の吸油粒子１３を包む。把手１２は、袋１１に固定され、袋１１から外側に延びている。【選択図】図１
0003225812.tif 000002
【実用新案登録請求の範囲】
【請求項１】
キッチンの流し台（５０）において用いる除油製品であって、
排水に含まれる油類を吸着させる、複数の吸油粒子（１３、２３）と、
複数の前記吸油粒子を包む袋（１１、２１）と、
前記袋に固定され、前記袋から外側に延びている、把手（１２、２２）と、
を備える除油製品（１０、２０）。
【請求項２】
前記吸油粒子は、植物性材料から製造され、
前記袋および前記把手は、生分解性を有する、
請求項１に記載の除油製品。
【請求項３】
前記吸油粒子は、植物のケナフから製造され、
前記袋は、ポリ乳酸繊維の不織布からなり、
前記把手は、ポリ乳酸繊維の紐状の部材からなる、
請求項２に記載の除油製品。
【請求項４】
前記把手は、前記袋の周縁の一部に、熱シールによって溶着されている、
請求項１から３のいずれかに記載の除油製品。
【請求項５】
前記袋は、
厚みが、５ｍｍ〜３０ｍｍであり、
平面形状が、正方形、長方形、円形、三角形、五角形、六角形、菱形およびハート形のいずれかであり、
平面視における周縁の長さが、３００ｍｍ〜６００ｍｍであり、
前記袋の中の複数の前記吸油粒子の重さは、１０ｇ〜２０ｇである、
請求項１から４のいずれかに記載の除油製品。
【請求項６】
前記把手は、前記袋から外側に２０ｍｍ以上延びている、
請求項１から５のいずれかに記載の除油製品。
【請求項７】
前記把手は、両端あるいは両端近傍部分が前記袋に固定されている紐状の部材であり、前記袋から離れたところが輪状に形成されており、
前記流し台の凹んだ排水孔（５０ａ）に載置される、
請求項１から６のいずれかに記載の除油製品。
【考案の詳細な説明】
【技術分野】
【０００１】
除油製品に関する。
【背景技術】
【０００２】
従来、特許文献１（特開２００７−３９９５４号公報）の吸油粒子は、把手のない袋に収容されている。
【考案の概要】
【考案が解決しようとする課題】
【０００３】
袋に把手のない場合、袋に収容された吸油粒子が油を吸着した後、処分時に、袋に付着した油が手に付着して処分しにくいという課題がある。
【課題を解決するための手段】
【０００４】
第１観点の除油製品は、キッチンの流し台において用いる除油製品であって、複数の吸油粒子と、袋と、把手と、を備える。複数の吸油粒子は、排水に含まれる油類を吸着させる。袋は、複数の吸油粒子を包む。把手は、袋に固定され、袋から外側に延びている。
【０００５】
第２観点の除油製品は、第１観点の除油製品であって、吸油粒子は、植物性材料から製造される。袋および把手は、生分解性を有する。
【０００６】
第３観点の除油製品は、第２観点の除油製品であって、吸油粒子は、植物のケナフから製造される。袋は、ポリ乳酸繊維の不織布からなる。把手は、ポリ乳酸繊維の紐状の部材からなる。
【０００７】
第４観点の除油製品は、第１観点から第３観点のいずれかの製品であって、把手は、袋の周縁の一部に、熱シールによって溶着されている。
【０００８】
第５観点の除油製品は、第１観点から第４観点のいずれかの製品であって、袋は、厚みが、５ｍｍ〜３０ｍｍである。袋は、平面形状が、正方形、長方形、円形、三角形、五角形、六角形、菱形およびハート形のいずれかである。袋は、平面視における周縁の長さが、３００ｍｍ〜６００ｍｍである。袋の中の複数の吸油粒子の重さは、１０ｇ〜２０ｇである。
【０００９】
第６観点の除油製品は、第１観点から第５観点のいずれかの製品であって、把手は、袋から外側に２０ｍｍ以上延びている。
【００１０】
第７観点の除油製品は、第１観点から第６観点のいずれかの製品であって、把手は、両端あるいは両端近傍部分が袋に固定されている紐状の部材であり、袋から離れたところが輪状に形成されている。この製品は、流し台の凹んだ排水孔に載置される。
【考案の効果】
【００１１】
この除油製品は、吸油粒子を包む袋に把手を有するようにしたので、使用後の処分が容易になる。この除油製品は、植物性材料から製造されるので、処分時に環境への負荷を軽減できる。この除油製品は、家庭用キッチンの排水から油分を取り除くことによって、環境汚染の緩和に有用である。
【図面の簡単な説明】
【００１２】
【図１】（ａ）除油製品の外観図。（ｂ）除油製品の一部透視図。
【図２】（ａ）除油製品の別の外観図。（ｂ）除油製品の別の一部透視図。
【図３】除油製品をキッチンの流し台で用いる一例を示す図。
【考案を実施するための形態】
【００１３】
本考案の実施形態に係る除油製品１０を図１に示す。除油製品１０は、環境汚染を少しでも緩和するため、家庭用キッチン排水の油分を取り除く用途が想定される商品である。
【００１４】
除油製品１０は、キッチンの流し台５０において用いる除油製品である。除油製品１０は、複数の吸油粒子１３と、袋１１と、把手１２と、を備える。
【００１５】
複数の吸油粒子１３は、家庭用キッチン排水に含まれる油類を吸着させる。吸油粒子１３は、植物のケナフから製造される。具体的には、吸油粒子１３の原材料は、油分分解能力を有するバクテリアを含む天然ケナフコア粉末である。吸油粒子１３は、植物性材料であればよく、例えば、おがくず、かんなくず等から製造されるようにしてもよい。
【００１６】
袋１１の中の複数の吸油粒子１３の重さは、１５ｇである。複数の吸油粒子１３は、自重の４〜５倍の油分を吸収する。本考案の吸油粒子１３は、１５ｇ当たり６０〜７５ｇの油分を吸着する。袋１１の中の複数の吸油粒子１３の重さは、１０ｇ〜２０ｇであればよい。複数の吸油粒子１３であるケナフコア粉末は、油分を吸着すると凝固する。
【００１７】
複数の吸油粒子１３は、水を吸収せず通過させる。吸油粒子１３のバクテリアは、吸着した油を分解する。
【００１８】
袋１１は、複数の吸油粒子１３を包む。袋１１は、トウモロコシを原料とするポリ乳酸の繊維を使用した不織布からなる。袋１１は、生分解性を有し、土壌中に入れることにより、自然分解が始まる。
【００１９】
袋１１は、厚みが５ｍｍ〜３０ｍｍである。袋１１は、平面視における周縁の長さが、３００ｍｍ〜６００ｍｍである。袋１１は、平面形状が正方形であり、１辺の長さが１２０ｍｍであるがこれに限られるものではない。除油製品１０の袋１１の平面形状の大きさは、流し台５０の凹んだ排水孔５０ａ（図３参照）と同様の大きさであればよい。
【００２０】
袋の平面形状は、正方形、長方形、円形、三角形、五角形、六角形、菱形およびハート形のいずれかである。別の除油製品２０の例を図２に示す。除油製品２０は、複数の吸油粒子２３と、袋２１と、把手２２と、を備える。除油製品２０は、袋２１の平面形状が、円形である点が、除油製品１０と異なる。除油製品２０の袋２１の平面形状以外の構成は、除油製品１０と同じである。
【００２１】
把手１２は、袋１１に固定され、袋１１から外側に延びている。把手１２は、トウモロコシを原料とするポリ乳酸の繊維を使用した紐状の部材からなる。把手１２は、生分解性を有し、土壌中に入れることにより、自然分解が始まる。
【００２２】
把手１２は、袋１１の周縁の一部に、熱シールによって溶着されている。図１に示すように、袋１１の平面形状が正方形である場合、袋１１のいずれかの角の部分に把手１２を溶着すると、把手１２を持ちやすい。
【００２３】
把手１２は、袋１１から外側に２０ｍｍ以上延びている。把手１２は、両端あるいは両端近傍部分が袋１１に固定されている紐状の部材であり、袋１１から離れたところが輪状に形成されている。
【００２４】
把手１２は、袋１１から離れたところが輪状に形成される場合を説明したが、棒状、帯状、または対角線状のいずれかに形成されるようにしてもよい。例えば、袋１１の平面形状に基づいて、把手１２の、袋１１から離れたところが棒状、帯状、または対角線状のいずれかに形成されるようにしてもよい。
【００２５】
図３に示すように、除油製品１０は、流し台の凹んだ排水孔５０ａに載置される。排水孔５０ａに除油製品１０を載置した後、さらに排水孔５０ａに金網５５を載置するようにしてもよい。
【００２６】
袋１１に封入した複数の吸油粒子１３であるケナフコア粉末が、排水に含まれる油分のみを吸収して凝固する。一方、袋１１に封入した複数の吸油粒子１３であるケナフコア粉末は、油分を除いた水を吸収せずに通過させる。
【００２７】
吸油粒子１３が吸着可能な量の油分を吸着して除油製品１０を処分する際、把手１２を持って、流し台５０の凹んだ排水孔５０ａから除油製品１０を取り出す。これにより、袋１１に付着した油分が手に付着するのを防ぐことができる。
【００２８】
除油製品１０を排水孔５０ａから取り出した後は、除油製品１０を普通ごみとして処分してよい。除油製品１０は植物性材料を用いているため、除油製品１０を土壌に入れると、すべて自然分解する。
【産業上の利用可能性】
【００２９】
この除油製品は、家庭用キッチンの排水から油分を取り除くことによって、環境汚染の緩和に有用である。
【符号の説明】
【００３０】
１０、２０  除油製品
１１、２１  袋
１２、２２  把手
１３、２３  吸油粒子
５０  流し台
５０ａ  排水孔
５５  金網
【先行技術文献】
【特許文献】
【００３１】
【特許文献１】特開２００７−３９９５４号公報
【図１】
0003225812.tif 000003
【図２】
0003225812.tif 000004
【図３】
0003225812.tif 000005